(57)【特許請求の範囲】
【請求項１】
磁気吸着により壁（12）に取り外し可能に取付ける壁パネル（20）であって、
薄くて前記壁（12）に磁気吸着するマグネットシート（22）と、このマグネットシート（22）のおもて面に当てられる複数個の木製ピース（21）と、前記マグネットシート（22）の裏面(22a)から前記木製ピース（21）へ打込まれ前記マグネットシート（22）に前記木製ピース（21）を機械的に結合する金属製結合片（23）と、からなり、
前記金属製結合片（23）は、一対の脚部（25）と、これらの脚部（25）の基部同士を連結するブリッジ部（26）とからなるコ字状の金属針（24）であり、
このような壁パネル（20）を廃棄するときには、
前記壁（12）から取り外し、前記金属製結合片（23）を抜くことで、前記マグネットシート（22）と前記木製ピース（21）を分離し、
抜かれた前記金属製結合片（23）は金属屑として再溶解、再利用が可能で、
分離された前記木製ピース（21）は裏面に前記金属製結合片（23）を抜いた穴（28）が残っているが再利用が可能で、
分離された前記マグネットシート（22）は前記金属製結合片（23）が貫通した貫通穴（27）が残っているが再利用が可能であることを特徴とする壁パネル。
【請求項２】
磁気吸着により壁（12）に取り外し可能に取付ける壁パネル（20）であって、
薄くて前記壁（12）に磁気吸着するマグネットシート（22）と、このマグネットシート（22）のおもて面に当てられる複数個の木製ピース（21）と、前記マグネットシート（22）の裏面(22a)から前記木製ピース（21）へ打込まれ前記マグネットシート（22）に前記木製ピース（21）を機械的に結合する金属製結合片（23）と、からなり、
前記金属製結合片（23）は、一対の脚部（25）と、これらの脚部（25）の基部同士を連結するブリッジ部（26）とからなるコ字状の金属針（24）であり、
前記マグネットシート（22）はゴム又は軟質プラスチッで構成され、前記ブリッジ部（26）の半分程度が前記マグネットシート（22）に潜っており、
このような壁パネル（20）を廃棄するときには、
前記壁（12）から取り外し、前記金属製結合片（23）を抜くことで、前記マグネットシート（22）と前記木製ピース（21）を分離し、
抜かれた前記金属製結合片（23）は金属屑として再溶解、再利用が可能で、
分離された前記木製ピース（21）は裏面に前記金属製結合片（23）を抜いた穴（28）が残っているが再利用が可能で、
分離された前記マグネットシート（22）は前記金属製結合片（23）が貫通した貫通穴（27）が残っているが再利用が可能であることを特徴とする壁パネル。
【請求項３】
磁気吸着により壁（12）に取り外し可能に取付ける壁パネル（20）であって、
薄くて前記壁（12）に磁気吸着するマグネットシート（22）と、このマグネットシート（22）のおもて面に当てられる複数個の木製ピース（21）と、前記マグネットシート（22）の裏面(22a)から前記木製ピース（21）へ打込まれ又はねじ込まれ前記マグネットシート（22）に前記木製ピース（21）を機械的に結合する金属製結合片（23）と、からなり、
前記金属製結合片（23）は、頭が平らな皿木ねじ（31）、頭が平らな釘（32）、頭が平らな頭付きピン（33）の何れかであり、
前記マグネットシート（22）はゴム又は軟質プラスチッで構成され、前記皿木ねじ（31）の頭、前記釘（32）の頭、前記頭付きピン（33）の頭の何れかは、前記マグネットシート（22）に潜っており、
このような壁パネル（20）を廃棄するときには、
前記壁（12）から取り外し、前記金属製結合片（23）を抜くことで、前記マグネットシート（22）と前記木製ピース（21）を分離し、
抜かれた前記金属製結合片（23）は金属屑として再溶解、再利用が可能で、
分離された前記木製ピース（21）は裏面に前記金属製結合片（23）を抜いた穴（28）が残っているが再利用が可能で、
分離された前記マグネットシート（22）は前記金属製結合片（23）が貫通した貫通穴（27）が残っているが再利用が可能であることを特徴とする壁パネル。
【発明の詳細な説明】
【技術分野】
【０００１】
本発明は、建物の壁などに磁気吸着させる壁パネルに関する。
なお、漢字で表記した「表面」は、物の外表面の全てと、裏面の反対面との二通りに解され、不明瞭である。本書では、「裏面」の反対面を「おもて面」と表記して明瞭化を図る。
【背景技術】
【０００２】
ガラスや石などのタイルを、マグネットシートを用いて建物の壁などに磁気吸着させる技術が知られている（例えば、特許文献１（図３）参照）。
【０００３】
特許文献１を次図に基づいて説明する。
図１２は従来の壁パネルの基本構成を説明する図である。
壁パネル１００は、所定の大きさのマグネットシート１０１と、タイル１０２と、このタイル１０２をマグネットシート１０１に接着する接着剤層１０３とからなる。
【０００４】
また、建物の壁１０４に磁性ペイント１０５が塗布されている。
壁パネル１００は、建物の壁１０４に随時取付けることができると共に何時でも取外すことができるという利点を有する。
【０００５】
しかし、このような構造の壁パネル１００には、次に述べる欠点がある。
第１に、使用済みの壁パネル１００を廃却するときの処理コストが嵩む。すなわち、接着剤層１０３の接着力が極めて大きいため、マグネットシート１０１とタイル１０２を簡単には分離することができない。そのため、分離コストが嵩む。
【０００６】
第２に、分離できたとしても、マグネットシート１０１に接着剤層１０３の一部が残り、タイル１０２の接着剤層１０３の残部が残る。
【０００７】
これらの接着剤の滓は、薬品で化学的に除去すると廃液の処理コストが嵩み、削って機械的に除去すると加工コストが嵩む。そのため、マグネットシート１０１の再利用やタイル１０２の再利用が難しくなる。
結果、汚れたマグネットシート１０１及び汚れたタイル１０２は廃棄処分することとなり、貴重な資源を捨てることになる。
【０００８】
第３に、廃棄処分を焼却にて実施すると、接着剤層１０３から有害なガスが発生する。
【０００９】
環境の保全や資源の再利用が求められ中、マグネットシートからタイルを簡単に分離でき、マグネットシートとタイルの再利用が可能であって、廃棄処分時に有毒なガスが発生しないような壁パネルが求められる。
【先行技術文献】
【特許文献】
【００１０】
【特許文献１】実用新案登録第３２３０００７号公報
【発明の概要】
【発明が解決しようとする課題】
【００１１】
本発明は、マグネットシートからタイルに相当する木製ピースを簡単に分離でき、マグネットシートと木製ピースの再利用が可能であって、廃棄処分時に有毒なガスが発生しないような壁パネルを提供することを課題とする。
【課題を解決するための手段】
【００１２】
請求項１に係る発明は、磁気吸着により壁（12）に取り外し可能に取付ける壁パネル（20）であって、
薄くて前記壁（12）に磁気吸着するマグネットシート（22）と、このマグネットシート（22）のおもて面に当てられる複数個の木製ピース（21）と、前記マグネットシート（22）の裏面(22a)から前記木製ピース（21）へ打込まれ前記マグネットシート（22）に前記木製ピース（21）を機械的に結合する金属製結合片（23）と、からなり、
前記金属製結合片（23）は、一対の脚部（25）と、これらの脚部（25）の基部同士を連結するブリッジ部（26）とからなるコ字状の金属針（24）であり、
このような壁パネル（20）を廃棄するときには、
前記壁（12）から取り外し、前記金属製結合片（23）を抜くことで、前記マグネットシート（22）と前記木製ピース（21）を分離し、
抜かれた前記金属製結合片（23）は金属屑として再溶解、再利用が可能で、
分離された前記木製ピース（21）は裏面に前記金属製結合片（23）を抜いた穴（28）が残っているが再利用が可能で、
分離された前記マグネットシート（22）は前記金属製結合片（23）が貫通した貫通穴（27）が残っているが再利用が可能であることを特徴とする。
【００１３】
請求項２に係る発明は、磁気吸着により壁（12）に取り外し可能に取付ける壁パネル（20）であって、
薄くて前記壁（12）に磁気吸着するマグネットシート（22）と、このマグネットシート（22）のおもて面に当てられる複数個の木製ピース（21）と、前記マグネットシート（22）の裏面(22a)から前記木製ピース（21）へ打込まれ前記マグネットシート（22）に前記木製ピース（21）を機械的に結合する金属製結合片（23）と、からなり、
前記金属製結合片（23）は、一対の脚部（25）と、これらの脚部（25）の基部同士を連結するブリッジ部（26）とからなるコ字状の金属針（24）であり、
前記マグネットシート（22）はゴム又は軟質プラスチッで構成され、前記ブリッジ部（26）の半分程度が前記マグネットシート（22）に潜っており、
このような壁パネル（20）を廃棄するときには、
前記壁（12）から取り外し、前記金属製結合片（23）を抜くことで、前記マグネットシート（22）と前記木製ピース（21）を分離し、
抜かれた前記金属製結合片（23）は金属屑として再溶解、再利用が可能で、
分離された前記木製ピース（21）は裏面に前記金属製結合片（23）を抜いた穴（28）が残っているが再利用が可能で、
分離された前記マグネットシート（22）は前記金属製結合片（23）が貫通した貫通穴（27）が残っているが再利用が可能であることを特徴とする。
【００１４】
請求項３に係る発明は、磁気吸着により壁（12）に取り外し可能に取付ける壁パネル（20）であって、
薄くて前記壁（12）に磁気吸着するマグネットシート（22）と、このマグネットシート（22）のおもて面に当てられる複数個の木製ピース（21）と、前記マグネットシート（22）の裏面(22a)から前記木製ピース（21）へ打込まれ又はねじ込まれ前記マグネットシート（22）に前記木製ピース（21）を機械的に結合する金属製結合片（23）と、からなり、
前記金属製結合片（23）は、頭が平らな皿木ねじ（31）、頭が平らな釘（32）、頭が平らな頭付きピン（33）の何れかであり、
前記マグネットシート（22）はゴム又は軟質プラスチッで構成され、前記皿木ねじ（31）の頭、前記釘（32）の頭、前記頭付きピン（33）の頭の何れかは、前記マグネットシート（22）に潜っており、
このような壁パネル（20）を廃棄するときには、
前記壁（12）から取り外し、前記金属製結合片（23）を抜くことで、前記マグネットシート（22）と前記木製ピース（21）を分離し、
抜かれた前記金属製結合片（23）は金属屑として再溶解、再利用が可能で、
分離された前記木製ピース（21）は裏面に前記金属製結合片（23）を抜いた穴（28）が残っているが再利用が可能で、
分離された前記マグネットシート（22）は前記金属製結合片（23）が貫通した貫通穴（27）が残っているが再利用が可能であることを特徴とする。
【発明の効果】
【００１５】
請求項１に係る発明では、マグネットシートと木製ピースは、金属製結合片で結合されている。金属製結合片を抜く又はねじることで、マグネットシートと木製ピースを分離することができる。
マグネットシートには、金属製結合片の貫通穴が残っているが、貫通穴はごく小規模であり、マグネットシートの大部分は健全であるため、マグネットシートの再利用は十分に可能である。
【００１６】
また、木製ピースには、裏面に金属製結合片を抜いた穴が残っているが、この穴はおもて面からは見えないため、木製ピースの再利用は十分に可能である。
木製ピースやマグネットシートに接着剤が付着していないため、仮に木製ピースやマグネットシートを焼却しても有毒なガスは発生しない。
よって、本発明によれば、マグネットシートから木製ピースを簡単に分離でき、マグネットシートと木製ピースの再利用が可能であって、廃棄処分時に有毒なガスが発生しないような壁パネルが提供される。
【００１７】
さらには、請求項１では、金属製結合片は、コ字状の金属針である。
近年、薄手の内装材は、ステープル（staple）と呼ばれるコ字状の金属針で躯体壁に固定される。コ字状の金属針は、ガンタッカー、タッカー又はステープラー（stapler）と呼ばれる打込み器で打込まれる。
本発明では、ステープルと呼ばれるコ字状の金属針で、マグネットシートに木製ピースを固定する。コ字状の金属針及び打込み器は、汎用品であり、入手が容易で安価である。
よって、本発明により、壁パネルが容易に且つ低コストで提供される。
【００１８】
請求項２に係る発明では、請求項１に係る発明と同様の効果が発揮されることに加えて、次に述べる効果が発揮される。
すなわち、請求項２では、コ字状の金属針のブリッジ部は、半分程度がマグネットシートに潜っている。マグネットシートを壁に磁気吸着させるときに、ブリッジ部の存在が吸着作用に影響するが、ブリッジ部の突出量が半減されているため、吸着作用への影響は軽微である。
請求項３に係る発明では、請求項１に係る発明とほぼ同様の効果が発揮されることに加えて、次に述べる効果が発揮される。
すなわち、請求項３では、金属製結合片は、木ねじ、釘、頭付きピンの何れかである。
本発明では、木ねじ、釘、頭付きピンの何れかで、マグネットシートに木製ピースを固定する。木ねじ、釘、頭付きピンは、汎用品であり、入手が容易で安価である。
よって、本発明により、壁パネルが容易に且つ低コストで提供される。
【図面の簡単な説明】
【００１９】
【図１】本発明に係る壁パネルの作成手順を説明する図である。
【図２】本発明に係る壁パネルの正面図である。
【図３】本発明に係る壁パネルの背面図である。
【図４】金属針の別の配置例を示す背面図である。
【図５】図３の５−５線断面図である。
【図６】壁パネルを分解するときの手順を説明する図である。
【図７】金属製結合片の諸形態を説明する図である。
【図８】本発明の壁パネルと従来の壁パネルの作用を比較説明する図である。
【図９】意匠性を高めた壁パネルの斜視図である。
【図１０】図９の１０−１０線断面図である。
【図１１】意匠性を高めた壁パネルの変更例を説明する断面図である。
【図１２】従来の壁パネルの基本構成を説明する図である。
【発明を実施するための形態】
【００２０】
本発明の実施の形態を添付図に基づいて以下に説明する。
【実施例】
【００２１】
図１に示すように、作業台１０に、直方体状の木製ピース２１を並べる。木製ピース２１の裏面にマグネットシート２２を載せる。次に、マグネットシート２２の裏面２２ａから木製ピース２１へ金属製結合片２３としてのコ字状の金属針２４を打込む。
このコ字状の金属針２４はステープルと呼ばれ、ガンタッカーやステープラーと呼ばれる周知の打込み器で打込まれる。
打込むことで、本発明の壁パネル２０が得られる。
【００２２】
木製ピース２１は、檜、杉、ヒバ、桂、桜などの自然木（天然木）を製材したときに発生する端材を、カットして得た直方体が好適である。木製ピース２１は、木屑を圧縮して形成する合成材や、薄板を重ねた合板でもよい。ただし、燃焼時に有害なガスが発生しないことを考慮すると、自然木の端材がより好ましい。
【００２３】
加えて、自然木は、空気中の有害化学物質を吸着することが期待される。さらに、自然木を燃やすと、二酸化炭素と水になり、これらが樹木の育成に再利用される。よって、自然木が好まれる。
【００２４】
木製ピース２１の大きさ（カット寸法）は、平面形状、断面形状、表面デザイン共に任意であるが、厚さが６〜２４ｍｍ、縦が３０〜２００ｍｍ、横が３０〜２００ｍｍが推奨される。
【００２５】
マグネットシート２２は、ニトリルゴム（又は軟質プラスチック）にフェライト粉を混ぜて、０．５〜２．０ｍｍ厚さの薄板に成形してなる。薄くて柔らかいため鋏などで容易に切断できる。フェライト粉を磁化処理するとマグネットシート２２は、磁性ペイントが塗布されている壁や磁性材（単なる鉄板で可）が埋められている壁に磁気吸着する。
【００２６】
本発明の壁パネル２０の正面図を図２で説明し、背面図を図３で説明する。
図２に示すように、壁パネル２０が躯体の壁１２に磁気吸着されている。壁１２は狭義の壁に留まらず、天井、床、家具・調度品の側面、屋外の構造物の側面など、磁気吸着可能な面を有する構造物であれば種類は問わない。
【００２７】
この例では、木製ピース２１の縦横寸法は各６０ｍｍである。木製ピース２１の数は３×３の９個である。壁パネル２０の縦横寸法は各１８０ｍｍである。木製ピース２１の数が５×５の２５個であれば、壁パネル２０の縦横寸法は各３００ｍｍとなる。
壁パネル２０の縦横寸法は任意であるが、各３００ｍｍであれば、製造が容易で、運搬も容易である。
【００２８】
コンクリート壁の場合、壁パネル２０を磁気吸着させることで、無機質なコンクリート壁を人に優しい木質壁に替えすることができる。壁パネル２０は着脱が容易であるため、季節毎やイベント毎に、交換することができる。
【００２９】
図３に示すように、マグネットシート２２に点在している金属針２４が見える。この例では裏面から見て正方形を呈する木製ピース２１の１個当たり、２本の金属針２４が打込まれている。この例では、金属針２４は水平線に対して約４５°をなすように、斜めに配置される。これにより、マグネットシート２２に対し、横方向及び上下方向の移動が阻止される。
【００３０】
なお、図４（ａ）に示すように、金属針２４は水平線に沿って延びるように配置してもよい。また、図４（ｂ）に示すように、金属針２４は中央に１本のみ配置してもよい。
すなわち、マグネットシート２２に木製ピース２１が結合されればよく、木製ピース２１の１個当たりの金属針２４（金属製結合片２３）の本数や配置は任意である。
【００３１】
図３の５−５線断面を図５に示す。
図５に示すように、金属針２４は、一対の脚部２５と、これらの脚部２５の基部同士を連結するブリッジ部２６とからなる。脚部２５はマグネットシート２２を貫通して木製ピース２１の厚さ方向途中まで打込まれているので外からは見えない。対してブリッジ部２６は露出している。
【００３２】
マグネットシート２２はゴム又は軟質プラスチックで構成されているため、ブリッジ部２６で圧縮される。結果、ブリッジ部２６のほぼ半分程度がマグネットシート２２に潜る。ブリッジ部２６の突出量が半減する。
マグネットシート２２を壁に磁気吸着させるときに、ブリッジ部２６の存在が吸着作用に影響するが、ブリッジ部２６の突出量が半減されているため、吸着作用への影響は軽微である。
【００３３】
経年劣化などにより、壁パネル２０を廃棄することがある。
そのときには、図６に示すように、金属針２４を抜く。
金属針２４は変形し、このままでは再利用は困難である。しかし、金属屑として再溶解、再利用が可能である。
【００３４】
また、マグネットシート２２には、金属針２４が貫通した貫通穴２７が残っているが、貫通穴２７はごく小規模である。マグネットシート２２の大部分は健全であるため、マグネットシート２２の再利用は十分に可能である。
【００３５】
また、木製ピース２１には、裏面に金属針２４を抜いた穴２８が残っているが、この穴２８はおもて面からは見えないため、木製ピース２１の再利用は十分に可能である。すなわち、マグネットシート２２から分離した木製ピース２１は、汚れを落とすだけで、再利用が可能となる。
【００３６】
また、木製ピース２１やマグネットシート２２に接着剤が付着していないため、仮に木製ピース２１やマグネットシート２２を焼却しても有毒なガスは発生しない。
【００３７】
以上の説明において、金属針２４を、金属製結合片２３の実施例としたが、金属製結合片２３は金属針２４に限定されない。その具体例を図７に基づいて説明する。
図７（ａ）に示すように、金属製結合片２３は、木ねじ３１であってもよい。木ねじ３１には、皿木ねじと丸木ねじがあるが、頭が平らな皿木ねじが好適である。
【００３８】
また、図７（ｂ）に示すように、金属製結合片２３は、頭が平らな釘３２であってもよい。
また、図７（ｃ）に示すように、金属製結合片２３は、頭が平らな頭付きピン３３であってもよい。
【００３９】
木ねじ３１、釘３２及び頭付きピン３３は、何れもこのままでは再利用はできないが、金属屑として再溶解すれば再利用が可能である。
【００４０】
次に、木製ピース２１の変形に対する本発明の優位性を、図８に基づいて説明する。
図８（ａ）に示す比較例では、マグネットシート１０１に、木製ピース２１が接着剤層１０３で結合されている。接着剤層１０３の結合力は十分に大きい。自然木の端材をカットして得た場合、木製ピース２１は乾燥の進行に伴って不可避的に湾曲化する。すると、平坦であったマグネットシート１０１が波打つ。
躯体の壁が平坦であれば、木製ピース２１の中央の大部分が壁から離れ、磁気吸着されないことになる。
【００４１】
図８（ｂ）に示す実施例では、マグネットシート２２に木製ピース２１が木ねじ３１で結合されている。木製ピース２１が湾曲化すると、木ねじ３１から離れた部位では、マグネットシート２２が木製ピース２１から離れる。木製ピース２１が湾曲化しても、マグネットシート２２は、ほぼ平坦のままとなる。躯体の壁にマグネットシート２２が良好に磁気吸着される。
【００４２】
図９に示すように、意匠性を高めた壁パネル２０に、本発明を適用することができる。
すなわち、図９に示すように、レギュラーサイズの木製ピース２１を中央と、左上と、右上と、左下と、右下とに配置し、厚さが半分の木製ピース２１Ｂを、レギュラーサイズの木製ピース２１の間に配置する。
【００４３】
図９の１０−１０線断面図である図１０に示すように、レギュラーサイズの木製ピース２１は、脚部２５が長い金属針２４で固定し、厚さが半分の木製ピース２１Ｂは、脚部２５が短い金属針２４Ｂで固定する。ただし、脚部２５が短い金属針２４Ｂをレギュラーサイズの木製ピース２１に打込まないように、注意する必要があり、結合作業が煩雑になる。その対策の一例を図１１に示す。
【００４４】
図１１に示すように、厚さが半分の木製ピース２１Ｂは縦横寸法を若干大きくする。レギュラーサイズの木製ピース２１には、厚さが半分の木製ピース２１Ｂの一部を収納する凹部２１ａ形成する。レギュラーサイズの木製ピース２１は、脚部２５が長い金属針２４で固定する。凹部２１ａに差し込まれた厚さが半分の木製ピース２１Ｂは、隣のレギュラーサイズの木製ピース２１で保持される。
結果、金属針２４は１種類のみで済み、結合作業は容易になる。
【００４５】
尚、実施例では、木製ピース２１は正面視で正方形としたが、正面視で長方形、三角形、正円、楕円、多角形、その他の形状にすることは差し支えない。
【００４６】
長方形の場合は、図２において、縦並びに３個の木製ピース２１を、１個の縦長の木製ピースとし、正方形状のマグネットシートに３個の縦長の木製ピースを並べてもよい。
【００４７】
また、木製ピース２１は、おもて面が平坦であるほか、幾何学模様や格子模様を施したり、縦筋や横筋を刻んでもよい。
【産業上の利用可能性】
【００４８】
本発明は、木製の壁パネルに好適である。
【符号の説明】
【００４９】
１２…壁（躯体の壁）、２０…壁パネル、２１、２１Ｂ…木製ピース、２２…マグネットシート、２２ａ…裏面、２３…金属製結合片、２４…コ字状の金属針、３１…木ねじ、３２…釘、３３…頭付きピン。
【要約】
【課題】マグネットシートから木製ピースを簡単に分離でき、マグネットシートと木製ピースの再利用が可能であって、廃棄処分時に有毒なガスが発生しないような壁パネルを提供する。
【解決手段】マグネットシート２２の裏面からコ字状の金属針２４を打込むことにより、マグネットシート２２に木製ピース２１を固定する。金属針２４を引抜くことで、マグネットシート２２と木製ピース２１とを分離することができる。マグネットシート２２と木製ピース２１とに穴が残るものの、マグネットシート２２と木製ピース２１の再利用は可能である。結合に接着剤を使用しないので、廃棄処分時に有毒なガスが発生することはない。
【選択図】図５【図１】
0006989187.tif 000002
【図２】
0006989187.tif 000003
【図３】
0006989187.tif 000004
【図４】
0006989187.tif 000005
【図５】
0006989187.tif 000006
【図６】
0006989187.tif 000007
【図７】
0006989187.tif 000008
【図８】
0006989187.tif 000009
【図９】
0006989187.tif 000010
【図１０】
0006989187.tif 000011
【図１１】
0006989187.tif 000012
【図１２】
0006989187.tif 000013